(57)【要約】      （修正有）【課題】キャリーバッグに載置した手提げかばんを簡単に縛って固定できるキャリーバッグを提供する。【解決手段】合成繊維布材により形成したかばん本体２と蓋体４とをスライドファスナー３で開閉可能に形成したキャリーバッグ１において、かばん本体２は、長手方向の上面一側にハンドル部を有した伸縮可能な牽引ハンドル１１を形成し、該かばん本体の上部に載置する手提げかばんをかばん本体２に縛り固定するための短尺帯片２３と長尺帯片２５からなる縛締帯紐２２を、上面に設けた開口部１６に蓋部１７をスライドファスナー１８で開閉可能にして形成した収納室１５の内部に収納可能にしてある。【選択図】図６
0003209848.tif 000002
【実用新案登録請求の範囲】
【請求項１】
合成繊維布材により形成したかばん本体（２）の背面に伸縮可能な牽引ロッド（１１）と、底面にキャスター（８）を設けたキャリーバッグ（１）において、前記かばん本体（２）の上面に載置する手提げかばん（５０）をかばん本体（２）に縛り付けて固定するための縛締帯紐（２２）を、前記かばん本体（２）に設けてなることを特徴とするキャリーバッグ。
【請求項２】
前記縛締帯紐（２２）は、前記かばん本体（２）に設けた収納室（１５）に出し入れ可能に収容してなることを特徴とする請求項１記載のキャリーバッグ。
【請求項３】
前記収納室（１５）は、前記かばん本体（２）の上面に設けてなることを特徴とする請求項２記載のキャリーバッグ。
【請求項４】
前記収納室（１５）は、上面に設けた開口部（１６）に蓋部（１７）をスライドファスナー（１８）で開閉可能にしてなり、内部に前記牽引ロッド（１１）と、前記かばん本体（２）の上部に載置した手提げかばん（５０）を縛り付けて固定するための縛締帯紐（２２）とをそれぞれ出し入れ可能に収納してなることを特徴とする請求項２または３記載のキャリーバッグ。
【請求項５】
前記収納室（１５）は、前記牽引ハンドル（１１）全体を収容する収容部（１９）と、該収容部の内部に前記縛締帯紐（２２）を出し入れ可能に収容する帯収容袋（２０）を設けてなることを特徴とする請求項２ないし４のいずれか１記載のキャリーバッグ。
【請求項６】
前記縛締帯紐（２２）は、合成繊維布材を帯状に形成した短尺帯片（２３）と長尺帯片（２５）とからなり、それぞれ一端を前記収納室（１５）の収容部（１９）に収容した牽引ハンドル（１１）の左右両側の壁面に固着し、前記短尺帯片（２３）の先端と長尺帯片（２５）の任意個所に取付けた連結具（３１）で互いに着脱可能に連結してなることを特徴とする請求項１、２、４、５のいずれか１記載のキャリーバッグ。
【請求項７】
前記連結具（３１）は、短尺帯片（２３）の先端に雌型連結片（３２）を取付け、長尺帯片（２５）の任意個所に長さを調節するための調節機能を有した雄型連結片（３７）を取付けてなることを特徴とする請求項６記載のキャリーバッグ。
【請求項８】
合成繊維布材により形成したかばん本体（２ａ）と蓋体（４ａ）とをスライドファスナー（３ａ）で開閉可能に形成したキャリーバッグ（１ａ）は、かばん本体（２ａ）の上部一側に位置した伸縮可能な牽引ハンドル（１１ａ）と、かばん本体（２ａ）の上面に設けたかばん把手部（９ａ）との間に、該かばん本体の上部に載置する手提げかばん（５０）を縛り付けて固定するための縛締帯紐（２２）を出し入れ可能に収納する収納室（２７）を設けてなることを特徴とするキャリーバッグ。
【請求項９】
前記収納室（２７）は、上面に設けた開口部（２８）にスライドファスナー（２９）で開閉可能にしてなり、収納室（２７）の内部に縛締帯紐（２２）を出し入れ可能に収納してなることを特徴とする請求項８記載のキャリーバッグ。
【考案の詳細な説明】
【技術分野】
【０００１】
本考案は、旅行かばん、特にソフトキャリーバッグの改良に関する。
【背景技術】
【０００２】
従来、旅行かばん、特にナイロンやポリエステルなどの合成繊維布材により形成したソフトキャリーバッグは、かばん本体が布製で軽量であることからリユックサックのごとく、背負い機能を有し、本体と蓋体とをファスナーで開閉可能に形成し、本体の長手方向の上面にバッグを持ち上げるための提げ手と、かばん本体の底面の片側または四隅に牽引用のキャスターと、歩行時にバッグを引張るための牽引ハンドルとが取り付けられている。
【０００３】
また、昨今の牽引ハンドル付き旅行かばん、または牽引ハンドル付きキャリーバッグの使用法として、牽引する旅行かばん、またはキャリーバッグの上部に手提げかばんやビジネスバッグまたはサブバッグなどを載せ、該かばんが落ちないように固定ベルトや縛り紐でかばんに固定したり、手提げかばんの一部を牽引ハンドルに挿通して固定して牽引することが行われている（例えば、特許文献１、２、３）。  
【先行技術文献】
【特許文献】
【０００４】
【特許文献１】特開２００９−２５４５６１号
【特許文献２】特開２０１０−２５９５８７号
【特許文献３】特開２０００−３０８５１１号
【０００５】
前者（特許文献１、２）のキャリバッグ用のベルトや固定ストラップ（以下、固定紐という）は、通常、かばんやキャリーバッグと別体で旅行かばんの中や自宅の所定箇所に保管してある。旅行かばんやキャリーバッグの他にビジネスバッグや手提げかばん、またはサブバッグ（以下、手提げかばんという）などの携帯が必要なときに前記固定紐を取り出してキャリーバッグの上部に載せた手提げかばんを縛って固定している。
【０００６】
そのため、キャリーバッグと固定紐とが別体であるため、固定紐を取付けたり収納したりする内に固定紐を紛失する恐れがある。また、固定紐は、一端がキャリーバッグに固定されていないので、手提げかばんを縛る際、固定紐の一端をキャリーバッグのいずれかに固定しなければならない。例えば、一端を把手部に取付け、他端を手提げかばんに環回して牽引ハンドルに取付けて固定したり、または牽引ハンドルに取付けた筒状カバーを介してベルトを環回して固定している。
【０００７】
前記固定紐での縛りは、固定紐の一端がキャリーバッグのいずれかに確実に固定されていないので、手提げかばんの固定が不安定となるため移動中の振動や衝撃で揺れたりズレたり脱落する恐れがある。この手提げかばんがズレると、キャリーバッグの重心が移動して牽引しにくくなるなどの多くの問題点を有している。
【０００８】
後者（特許文献３）は、固定紐を使用することなく手提げかばんを直接牽引アームに取付けるもので、手提げかばんの背面に設けた挿通孔に牽引アームを通して取付けてあるだけである。そのため、移動中の振動や衝撃で揺れたりズレたりしやすく、重心がズレるとキャリーバッグ全体の重心が移動して牽引しにくくなるなどの多くの問題点を有している。
【考案の概要】
【考案が解決しようとする課題】
【０００９】
そこで本考案が解決しようとする課題は、旅行かばん、特に合成繊維布材または合成皮革などの柔軟素材により形成した形態が不安定なキャリーバッグに載せる手提げかばんをキャリーバッグに設けた収納室に収納した縛締帯片で締めつけ固定することにより、手提げかばんを安定して支持することができると共に、不要時には収納室に収納することにより、縛締帯片の紛失を防止することを目的とする。
【課題を解決するための手段】
【００１０】
本考案は、合成繊維布材により形成したかばん本体２の背面に伸縮可能な牽引ロッド１１と、底面にキャスター８を設けたキャリーバッグ１において、前記かばん本体２の上面に載置する手提げかばん５０をかばん本体２に縛り付けて固定するための縛締帯紐２２を、前記かばん本体２に設けてなることを特徴とする。また、前記縛締帯紐２２は、前記かばん本体２に設けた収納室１５に出し入れ可能に収容してなることを特徴とする。さらに、前記収納室１５は、前記かばん本体２の上面に設けてなることを特徴とする。さらにはまた、前記収納室１５は、上面に設けた開口部１６に蓋部１７をスライドファスナー１８で開閉可能にしてなり、内部に前記牽引ロッド１１と、前記かばん本体２の上部に載置した手提げかばん５０を縛り付けて固定するための縛締帯紐２２とをそれぞれ出し入れ可能に収納してなることを特徴とする。また、前記収納室１５は、前記牽引ハンドル１１全体を収容する収容部１９と、該収容部の内部に前記縛締帯紐２２を出し入れ可能に収容する帯収容袋２０を設けてなることを特徴とする。さらに、前記縛締帯紐２２は、合成繊維布材を帯状に形成した短尺帯片２３と長尺帯片２５とからなり、それぞれ一端を前記収納室１５の収容部１９に収容した牽引ハンドル１１の左右両側の壁面に固着し、前記短尺帯片２３の先端と長尺帯片２５の任意個所とを連結具３１で互いに着脱可能に連結してなることを特徴とする。さらにはまた、前記連結具３１は、短尺帯片２３の先端に雌型連結片３２を取付け、長尺帯片２５の任意個所に長さを調節するための調節機能を有した雄型連結片３７を取付けてなることを特徴とする。また、合成繊維布材により形成したかばん本体２ａと蓋体４ａとをスライドファスナー３ａで開閉可能に形成したキャリーバッグ１ａは、かばん本体２ａの上部一側に位置した伸縮可能な牽引ハンドル１１ａと、かばん本体２ａの上面に設けたかばん把手部９ａとの間に、該かばん本体の上部に載置する手提げかばん５０を縛り付けて固定するための縛締帯紐２２を出し入れ可能に収納する収納室２７を設けてなることを特徴とする。さらに、前記収納室２７は、上面に設けた開口部２８にスライドファスナー２９で開閉可能にしてなり、収納室２７の内部に縛締帯紐２２を出し入れ可能に収納してなることを特徴とする。
【００１１】
したがって、形態が不安定なキャリーバッグ１の上面に手提げかばん５０を載置する際、かばん本体２の上面に設けた収納室１５を開口して縛締帯紐２２を引き出し、該縛締帯紐の一方長尺帯片２５を手提げかばん５０と牽引ハンドル１１を環回して短尺帯片２３に連結した後、長尺帯片２５を引っ張ることにより手提げかばん５０をかばん本体２に簡単で確実に締着固定することができる。前記縛締帯紐２２をかばん本体２の上面に設けた収納室１５に収納可能にしたことにより、不要時に縛締帯紐２２の紛失を防止することができる。また、手提げかばん５０を縛るときも縛締帯紐２２を探す手間がなく便利である。さらに、収納室１５に牽引ハンドル１１を収容する収容部１９と、帯収容袋２０を収容する帯収容袋２０とに分けて形成することにより、牽引ハンドル１１に縛締帯紐２２が絡みつくのを防止し、縛締帯紐２２を取り出しやすくすることができる。さらにはまた、縛締帯紐２２は、短尺帯片２３と長尺帯片２５とからなり、長尺帯片２５の長さを調節可能にしたことにより、手提げかばん５０の大きさに合わせて調節することができるので縛り付けを容易にすることができる。さらに、長尺帯片２５と短尺帯片２３の先端に着脱可能な連結具３１を取付けたことにより、手提げかばん５０をキャリーバッグ１に縛り付けた後、連結具３１を結合するだけのワンタッチで連結でき、さらに長尺帯片２５の一端を引くだけで手提げかばんを強固に絞めて固定することができるので紐を結ぶ作業が不要となり、便利であると共に連結した紐が解けるおそれがない。
【図面の簡単な説明】
【００１２】
【図１】本考案にかかるキャリーバッグの斜視図である。
【図２】収納室に牽引ハンドルを収納したキャリーバッグの平面図である。
【図３】かばん本体に設けた収納室を開口した状態の一部破断した平面図である。
【図４】かばん本体に設けた収納室の要部拡大断面図である。
【図５】かばん本体の収納室から縛締帯紐を引き出した状態の斜視図である。
【図６】収納室内の内壁に一端を取付けた縛締帯紐の一部拡大斜視図である。
【図７】縛締帯紐に取付けた留着具の要部拡大平面図である。
【図８】縛締帯紐でキャリーバッグの上部に手提げかばんを取付けた状態の正面側斜視図である。
【図９】縛締帯紐でキャリーバッグの上部に手提げかばんを取付けた状態の背面側斜視図である。
【図１０】外付け牽引ハンドルを有するキャリーバッグに設けた縛締帯紐を収納する収納室の平面図である。
【考案を実施するための形態】
【００１３】
本考案の実施の形態を図面に基づいて説明すると、図１は本考案にかかるキャリーバッグの斜視図、図２は収納室に牽引ハンドルを収納したキャリーバッグの平面図、図３はかばん本体に設けた収納室を開口した状態の一部破断した平面図、図４はかばん本体に設けた収納室の要部拡大断面図、図５はかばん本体の収納室から縛締帯紐を引き出した状態の斜視図、図６は収納室内の内壁に一端を取付けた縛締帯紐の一部拡大斜視図、図７は縛締帯紐に取付けた連結具の要部拡大平面図である。前記キャリーバッグ１は、合成繊維布材で形成したかばん本体２と、該かばん本体２にファスナー３で開閉可能に取付けた蓋体４と、長手方向の背面側に伸縮可能に取付けた牽引ハンドル１１と、底面両側に設けたキャリーバッグ１を牽引するためのキャスター８と、前記かばん本体２の上面に載置する手提げかばん５０を縛って固定するための縛締帯紐２２を収容する収納室１５を設けてある。
【００１４】
前記かばん本体２は、背面部６の周縁に背面ファスナー７を開閉可能に取付けて内側に収納した背負い部（図示せず）を出し入れ可能に形成し、前記牽引ハンドル１１は、ロッド部１２の上端にキャリーバッグ１を牽引するためのハンドル部１３を設け、前記かばん本体２の底面片側に設けたキャスター８の反対側にかばん本体２を支持するための支持脚部（図示せず）を設けてある。
【００１５】
前記収納室１５は、図２、３、４に示すごとく、開口部１６に蓋部１７をファスナー１８で開閉可能に取付け、内部に前記牽引ハンドル１１全体を収容する収容部１９と、該収容部の内部に縛締帯紐２２を収納する帯収容袋２０とを設けてある。
【００１６】
前記縛締帯紐２２は、図５に示すごとく、合成繊維布材を帯状に形成した短尺帯片２３と長尺帯片２５とからなり、それぞれ一端を前記収納室１５の収容部１９に収容した牽引ハンドル１１の左右両側で収容部１９の内壁面で互いに離れた位置に固着し、前記短尺帯片２３と長尺帯片２５の他端に雌雄型の連結具３１をそれぞれ取付けて着脱可能に形成してある。
【００１７】
前記連結具３１は、図７に示すごとく、合成樹脂材により形成した公知の雌雄型連結具で、前記短尺帯片２３の先端に雌型連結片３２を取付け、長尺帯片２５の任意個所に雄型連結片３７を取付けてある。
【００１８】
前記雌型連結片３２は、一端に短尺帯片２３の先端を取付ける連結孔３３を設け、他端に前記雄型連結片３７を挿通する挿入孔３４を設け、該挿入孔の中間両側に係止窓部３５を設けてある。
【００１９】
雄型連結片３７は、図７に示すごとく、一端に長尺帯片２５を挿通する調節部３８を設け、他端に前記雌型連結片３２と着脱可能に嵌合する連結部３９を一体に設けてなり、前記調節部３８は、中央に長尺帯片２５を挿通して折り返すための帯軸４０と、挿通した帯片がズレるのを防止する圧着部４１を一体に形成し、連結部３９は、左右両側に前記雌型連結片３２の挿入孔３４から挿入して係止窓部３５と着脱可能に嵌合する弾力性を有する係止爪部４２とガイド軸部４３を一体に設けてある。
【００２０】
前記雄型連結片３７の調節部３８に挿通した長尺帯片２５は、帯軸４０の下側から挿通して上側に折り返し、圧着部４１の下側に挿通して帯受片４７に挿通させることにより、折り返した長尺帯片２５が圧着部４１に押し当てられることにより折り返し位置がズレるのを防止することができる。
【００２１】
長尺帯片２５は、キャリーバッグ１に載置する手提げかばん５０の大きさに合わせて雄型連結片３７に挿通した長尺帯片２５の折り返し位置を自由に調節することにより、載置する手提げかばん５０の大きさに合わせて長さを調節することができるので、確実に手提げかばん５０をキャリーバッグの上部に縛締することができる。  
【００２２】
前記縛締帯紐２２は、伸縮性を有する合成繊維布材またはゴム材を含有した繊維布材により形成してもよい。伸縮性を有する縛締帯紐は、帯紐全体が伸縮性を有することから、手提げかばん５０をキャリーバッグ１に締着すると、移動中の振動や衝撃による揺れを帯紐が吸収して手提げかばん５０がズレたり、脱落する恐れがなく安全に牽引することができる。
【００２３】
図１０に示すキャリーバッグ１ａは、牽引ハンドル１１ａをかばん本体２ａの上部一側に露出して取付けたもので、牽引ハンドル１１ａとかばん本体２ａの上面に設けた把手部９ａとの間に、縛締帯紐２２を収納するための収納室２７を設けてもよい。この場合、収納室２７の内部は縛締帯紐２２を収容するだけであるため小さな開口部２８を形成し、該開口部はファスナー２９で開閉可能にしてある。
【００２４】
前記収納室２７に収納する縛締帯紐２２は、一端を内部の左右両側にそれぞれ離して取付け、かばん本体２の上面に位置する手提げかばん５０を保持する縛締帯紐２２の縛り幅を広げることができるので、安定して手提げかばんを縛締することができる。
【００２５】
前記したキャリーバッグ１に取付けた牽引ハンドルは、一本ロッドの牽引ハンドル１１について図示および説明したが、周知の二本ロッドを有する牽引ハンドルを取付けたキャリーバッグに、前記縛締帯紐２２を出し入れ可能に収納する収納室２７を設けることができるのは勿論である。
【００２６】
以下、本考案の実施の形態の作用について説明すると、キャリーバッグ１は、合成繊維布材により形成したかばん本体２と蓋体４とをファスナー３で開閉可能に形成し、前記かばん本体２は、長手方向の上面でハンドル部１３を有した伸縮可能な牽引ハンドル１１を一側に位置し、該かばん本体の上部に載置する手提げかばん５０を固定するための縛締帯紐２２を収納する収納室１５を設けてある。
【００２７】
したがって、形態が不安定なキャリーバッグ１の上面に手提げかばん５０を載置する際、かばん本体２の上面に設けた収納室１５を開口して縛締帯紐２２を引き出し、該縛締帯紐の一方長尺帯片２５を手提げかばん５０の底面側から表側に回し、さらに上方の手提げ部と牽引ハンドル１１のロッド部１２を環回し、手提げかばんの底面側から表側に伸ばした短尺帯片２３の雌型連結片３２と長尺帯片２５の雄型連結片３７とを連結する。次いで、雄型連結片３７の調節部３８に挿通した長尺帯片２５の端部を引っ張ぱって締めることにより手提げかばん５０をかばん本体２に簡単で確実に縛締することができ、また、牽引中の振動や衝撃によるショックで手提げかばん５０がかばん本体２上からズレたり落下するおそれがない。
【００２８】
また、前記収納室１５は、上面に設けた開口部１６に蓋部１７をファスナー１８で開閉可能にしてなり、内部に前記牽引ハンドル１１と、縛締帯紐２２とをそれぞれ目立つことなく収納してあるため、外観がスッキリしてキャリーバッグ１の見栄えがよい。さらに縛締帯紐２２は、不要時は収納室１５に収納することができるので縛締帯紐２２の紛失を防止することができると共に、手提げかばん５０を縛るときも縛締帯紐２２を探す手間がなく便利である。
【００２９】
さらに、縛締帯紐２２の不使用時は、収納室１５内に設けた帯収容袋２０に収納することにより、収納室１５内の収容部１９に収納した牽引ハンドル１１のハンドル部１３に縛締帯紐２２が絡みつくのを防止することができ、また、牽引ハンドル１１の引き出しをスムースに行うことができる。長尺帯片２５と短尺帯片２３とからなる縛締帯紐２２は、一方の帯紐を長くすることにより、手提げかばん５０を縛り締めするとき、長尺帯片２５のみを使用して縛るため、取り扱いが容易であると共に長短尺帯片２３、２５の絡みを防止することができる。
【００３０】
また、長尺帯片２５と短尺帯片２３の先端に雌雄型連結具３１を取付けたことにより、手提げかばん５０をかばん本体２に縛り締めした後、互いの雌雄連結具３２、３７を結合するだけのワンタッチで簡単に連結することができる。さらには、長尺帯片２５の長さを雄型連結片３７に設けた調節部３８により自由に調節することができ、且つ、連結具３１を結合させた後、長尺帯片２５の端部を引くことにより簡単に締着することができるので、帯紐を結ぶ作業が不要となり便利であると共に、連結した紐が解けるおそれがない。
【００３１】
さらには、伸縮性を有する縛締帯紐を使用した場合、手提げかばん５０をキャリーバッグ１に締着すると、移動中の振動や衝撃による揺れを帯紐が吸収して手提げかばん５０がズレたり、脱落する恐れがなく安全に牽引することができる。
【符号の説明】
【００３２】
１    キャリーバッグ
２    かばん本体
３    ファスナー
４    蓋体
６    背負い部
７    背面ファスナー
８    キャスター
９    把手部
１１  牽引ハンドル
１２  ロッド部
１３  ハンドル部
１５  収納室
１６  開口部
１７  蓋部
１８  ファスナー
１９  収容部
２０  帯収容袋
２２  縛締帯紐  
２３  短尺帯片
２５  長尺帯片
２７  収納室
２８  開口部
２９  ファスナー
３１  連結具
３２  雌型連結片
３３  連結孔
３４  挿入孔
３５  係止窓部
３７  雄型連結片
３８  調節部
３９  連結部
４０  帯軸
４１  圧着部
４２  係止爪部
４３  ガイド軸部
４７  帯受片
５０  手提げかばん
【図１】
0003209848.tif 000003
【図２】
0003209848.tif 000004
【図３】
0003209848.tif 000005
【図４】
0003209848.tif 000006
【図５】
0003209848.tif 000007
【図６】
0003209848.tif 000008
【図７】
0003209848.tif 000009
【図８】
0003209848.tif 000010
【図９】
0003209848.tif 000011
【図１０】
0003209848.tif 000012
【手続補正書】
【提出日】平成29年2月8日(2017.2.8)
【手続補正１】
【補正対象書類名】実用新案登録請求の範囲
【補正対象項目名】全文
【補正方法】変更
【補正の内容】
【実用新案登録請求の範囲】
【請求項１】
合成繊維布材により形成したかばん本体（２）の背面に伸縮可能な牽引ハンドル（１１）と、底面にキャスター（８）を設けたキャリーバッグ（１）において、前記かばん本体（２）の上面に載置する手提げかばん（５０）をかばん本体（２）に縛り付けて固定するための縛締帯紐（２２）を、前記かばん本体（２）に設けてなることを特徴とするキャリーバッグ。
【請求項２】
前記縛締帯紐（２２）は、前記かばん本体（２）に設けた収納室（１５）に出し入れ可能に収容してなることを特徴とする請求項１記載のキャリーバッグ。
【請求項３】
前記収納室（１５）は、前記かばん本体（２）の上面に設けてなることを特徴とする請求項２記載のキャリーバッグ。
【請求項４】
前記収納室（１５）は、上面に設けた開口部（１６）に蓋部（１７）をスライドファスナー（１８）で開閉可能にしてなり、内部に前記牽引ハンドル（１１）と、前記かばん本体（２）の上部に載置した手提げかばん（５０）を縛り付けて固定するための縛締帯紐（２２）とをそれぞれ出し入れ可能に収納してなることを特徴とする請求項２または３記載のキャリーバッグ。
【請求項５】
前記収納室（１５）は、前記牽引ハンドル（１１）全体を収容する収容部（１９）と、該収容部の内部に前記縛締帯紐（２２）を出し入れ可能に収容する帯収容袋（２０）を設けてなることを特徴とする請求項２ないし４のいずれか１記載のキャリーバッグ。
【請求項６】
前記縛締帯紐（２２）は、合成繊維布材を帯状に形成した短尺帯片（２３）と長尺帯片（２５）とからなり、それぞれ一端を前記収納室（１５）の収容部（１９）に収容した牽引ハンドル（１１）の左右両側の壁面に固着し、前記短尺帯片（２３）の先端と長尺帯片（２５）の任意個所に取付けた連結具（３１）で互いに着脱可能に連結してなることを特徴とする請求項２、４、５のいずれか１記載のキャリーバッグ。
【請求項７】
前記連結具（３１）は、短尺帯片（２３）の先端に雌型連結片（３２）を取付け、長尺帯片（２５）の任意個所に長さを調節するための調節機能を有した雄型連結片（３７）を取付けてなることを特徴とする請求項６記載のキャリーバッグ。
【請求項８】
合成繊維布材により形成したかばん本体（２ａ）と蓋体（４ａ）とをスライドファスナー（３ａ）で開閉可能に形成したキャリーバッグ（１ａ）は、かばん本体（２ａ）の上部一側に位置した伸縮可能な牽引ハンドル（１１ａ）と、かばん本体（２ａ）の上面に設けたかばん把手部（９ａ）との間に、該かばん本体の上部に載置する手提げかばん（５０）を縛り付けて固定するための縛締帯紐（２２）を出し入れ可能に収納する収納室（２７）を設けてなることを特徴とするキャリーバッグ。
【請求項９】
前記収納室（２７）は、上面に設けた開口部（２８）にスライドファスナー（２９）で開閉可能にしてなり、収納室（２７）の内部に縛締帯紐（２２）を出し入れ可能に収納してなることを特徴とする請求項８記載のキャリーバッグ。
【手続補正２】
【補正対象書類名】明細書
【補正対象項目名】００１０
【補正方法】変更
【補正の内容】
【００１０】
本考案は、合成繊維布材により形成したかばん本体２の背面に伸縮可能な牽引ハンドル１１と、底面にキャスター８を設けたキャリーバッグ１において、前記かばん本体２の上面に載置する手提げかばん５０をかばん本体２に縛り付けて固定するための縛締帯紐２２を、前記かばん本体２に設けてなることを特徴とする。また、前記縛締帯紐２２は、前記かばん本体２に設けた収納室１５に出し入れ可能に収容してなることを特徴とする。さらに、前記収納室１５は、前記かばん本体２の上面に設けてなることを特徴とする。さらにはまた、前記収納室１５は、上面に設けた開口部１６に蓋部１７をスライドファスナー１８で開閉可能にしてなり、内部に前記牽引ハンドル１１と、前記かばん本体２の上部に載置した手提げかばん５０を縛り付けて固定するための縛締帯紐２２とをそれぞれ出し入れ可能に収納してなることを特徴とする。また、前記収納室１５は、前記牽引ハンドル１１全体を収容する収容部１９と、該収容部の内部に前記縛締帯紐２２を出し入れ可能に収容する帯収容袋２０を設けてなることを特徴とする。さらに、前記縛締帯紐２２は、合成繊維布材を帯状に形成した短尺帯片２３と長尺帯片２５とからなり、それぞれ一端を前記収納室１５の収容部１９に収容した牽引ハンドル１１の左右両側の壁面に固着し、前記短尺帯片２３の先端と長尺帯片２５の任意個所とを連結具３１で互いに着脱可能に連結してなることを特徴とする。さらにはまた、前記連結具３１は、短尺帯片２３の先端に雌型連結片３２を取付け、長尺帯片２５の任意個所に長さを調節するための調節機能を有した雄型連結片３７を取付けてなることを特徴とする。また、合成繊維布材により形成したかばん本体２ａと蓋体４ａとをスライドファスナー３ａで開閉可能に形成したキャリーバッグ１ａは、かばん本体２ａの上部一側に位置した伸縮可能な牽引ハンドル１１ａと、かばん本体２ａの上面に設けたかばん把手部９ａとの間に、該かばん本体の上部に載置する手提げかばん５０を縛り付けて固定するための縛締帯紐２２を出し入れ可能に収納する収納室２７を設けてなることを特徴とする。さらに、前記収納室２７は、上面に設けた開口部２８にスライドファスナー２９で開閉可能にしてなり、収納室２７の内部に縛締帯紐２２を出し入れ可能に収納してなることを特徴とする。
以上